(57)【特許請求の範囲】
【請求項１】
躯体に載置した下枠基材と、下枠基材上に載置・係合した下枠載材と、下枠載材の浴室側に連結したスロープと、下枠載材の側面とスロープの側面とに跨って装着したスロープ支持枠とを備え、下枠載材は、上面に上吊り引き戸の下部を案内する引き戸案内溝を有すると共に、浴室側と更衣室側の下面に係合部を有し、浴室側の係合部は下枠基材に形成された被係合部に上方から係合し、更衣室側の係合部は下枠基材に形成された被係合部に浴室側から係合しており、スロープと下枠載材を一体で下枠基材から取り外し可能としたことを特徴とする浴室戸用下枠。
【発明の詳細な説明】
【技術分野】
【０００１】
本発明は、浴室出入口の段差を解消できるスロープ付きの浴室戸用下枠に関する。
【背景技術】
【０００２】
従来、住宅の公的融資基準のひとつとしてバリアフリー住宅があるが、浴室においては、グレーチング、スノコなどを洗い場に設置し、段差解消手段としている。最近、浴室内の清掃を容易にするため、グレーチングなどを削除することが検討されている。
【発明の開示】
【発明が解決しようとする課題】
【０００３】
従来のグレーチングレスの浴室は、引き戸下枠前に比較的細い溝を設けたり、浴室床面の一部を切り欠いて、この切り欠きに別体のピットを接続して排水させる構造をとっている。しかしながら、従来の上記細い溝を設けるタイプでは細いグレーチングを必要とし、また、後付ピットタイプではピット部のメンテナンスが必要となる。このような状況のもとで、本発明の課題は、浴室にグレーチングやスノコを設置したり、浴室床面に溝や切り欠きを設けたりすることなく浴室出入口の段差を解消でき、清掃のしやすい浴室戸用下枠の提供を目的とする。
【課題を解決するための手段】
【０００４】
上記の課題を達成するために請求項１記載の発明による浴室戸用下枠は、躯体に載置した下枠基材と、下枠基材上に載置・係合した下枠載材と、下枠載材の浴室側に連結したスロープと、下枠載材の側面とスロープの側面とに跨って装着したスロープ支持枠とを備え、下枠載材は、上面に上吊り引き戸の下部を案内する引き戸案内溝を有すると共に、浴室側と更衣室側の下面に係合部を有し、浴室側の係合部は下枠基材に形成された被係合部に上方から係合し、更衣室側の係合部は下枠基材に形成された被係合部に浴室側から係合しており、スロープと下枠載材を一体で下枠基材から取り外し可能としたことを特徴とする。
【発明の効果】
【０００５】
請求項１記載の発明による浴室戸用下枠は、躯体に載置した下枠基材上に下枠載材を載置・係合し、下枠載材の浴室側にスロープを連結する構成により、浴室にグレーチングやスノコを設置したり、浴室床面に溝や切り欠きを設けたりすることなく浴室出入口の段差を解消できる。下枠載材は、浴室側と更衣室側の下面に形成した係合部を、下枠基材に形成された被係合部に上方と浴室側からそれぞれ係合することで安定して設置することができ、スロープも両端部がスロープ支持枠で支持されるので安定して設置できる。さらに、スロープ側を若干持ち上げながら浴室側に移動させることで、下枠載材の浴室側と更衣室側の係合部が下枠基材の被係合部から外れ、スロープと下枠載材を一体で下枠基材から簡単に取り外せるので、水が通る部分である下枠内とスロープ内、及びスロープ下の浴室床面の清掃が極めて容易に行える。スロープと下枠載材の一体での取り外しは、上吊り引き戸が取り付けられたままの状態でも行うことができる。
【発明を実施するための最良の形態】
【０００６】
実施例は、本発明を図２〜４に示すような浴室用の三枚引戸からなる引き戸３０に適用したものである。該引き戸３０は、特に図３に示すように、第１引き戸３１、第２引き戸３２及び第３引き戸３３からなり、躯体開口部の上枠１、下枠２０（図４参照）、及び縦枠２，２（図３）内に配置されている。第１引き戸３１、第２引き戸３２及び第３引き戸３３は、図４に示すように、各引き戸３１，３２，３３に付設された走行ローラ３１ｂ，３２ｂ，３３ｂを、上枠１に付設されたレール１ａに支持させることにより、開閉自在に吊り下げられている。また、第１引き戸３１には、引き戸開閉用の把手３１ｈが室内外に付設してある。更に、第１引き戸３１、第２引き戸３２及び第３引き戸３３の下框の下面には、それぞれシール材３１ａ、シール材３２ａ、シール材３３ａが下垂されて設けてある。
【０００７】
下枠２０は、特に図１，４に示すように、引き戸３０の下部枠を構成し、更衣室（図外）と浴室床面（浴室パン）３との間に配設される。下枠２０の上面と更衣室の床面とは略同一高さ、下枠２０と浴室床３との高さの差は、略２０mm以下として配置されている。下枠２０は、躯体に載置される下枠基材２１と、下枠基材２１上に載置・係合される下枠載材２２と、該下枠載材２２の浴室側に連結されるスロープ２５とからなる。下枠基材２１の浴室側には、水平方向に当接突片２１ａが設けられている。
下枠載材２２は、上面に第１引き戸３１と第２引き戸３２の下部を案内する引き戸案内溝２２ｅ，２２ｅが形成され、引戸案内溝２２ｅ，２２ｅの浴室側にシール材保持部２２ａ，２２ａが形成され、シール材２２ｂ，２２ｂが付設されている。また、下枠載材２２の浴室側には、止水片支持部２２ｃが設けられ、該止水片支持部２２ｃには、弾性舌片からなる止水片２３が下垂させた状態で設けられている。下枠載材２２の浴室側の下面には、断面Ｌ形の係合部２２ｆが垂下して設けてあり、係合部２２ｆが下枠基材２１の上面に形成された浅い凹溝状の被係合部２１ｂに上方から係合して載置されることで、下枠載材２２の室内外方向の動きが規制されている。さらに下枠載材２２の更衣室側の下面には、更衣室側に向けて突出する係合部２２ｇを有し、係合部２２ｇを下枠基材２１に形成された溝状の被係合部２１ｃ内に浴室側から係合することで、下枠載材２２の浮き上がりを規制している。
【０００８】
止水片２３の下部は、前記当接突片２１ａに対向して配置される。この構成により、止水片２３が浴室側からの水圧により、傾斜したときには当接突片２１ａの先端部に当接し、浴室側からの水を遮断することになる。スロープ２５は、硬質合成樹脂、アルミ合金等を素材として形成され、側面視の全体形状が略三角形状で、上面には傾斜面２５ｄが形成され、浴室側下面には、耐水性があって弾性素材からなる床当接部材２５ａが設けられている。スロープ２５と下枠載材２２との間には、第３引き戸３３の下部を案内する引き戸案内溝２２ｅが形成され、スロープ２５の室外側にはシール材保持部２５ｂが形成され、シール材２５ｃが付設されている。また、スロープ２５の下側は、下枠２０側の止水片支持部２２ｃの上面に係合するように凹部が形成されている。スロープ２５の内側（下部）は、水密性確保のために、下枠２０から排水された水の残留水スペースを兼ねており、残留水スペース内の水はスロープ両側から浴室床面３へ排出される。
【０００９】
上記実施例では、上記構成により、引き戸３０を閉めた状態において、浴室で湯水を使うと、水が引き戸３０の側面にまで達しても、引き戸３０と下枠２０との間はシール材２２ｂ，２２ｂ及びシール材２５ｃで遮断され、更には、各引き戸３１，３２，３３の下端部に摺接するように、下枠載材２２に設けられたシール材２２ｄ・・で遮断され、また、浴室床３とスロープ２５との間は、床当接部材２５ａに加えて、止水片２３と当接突片２１ａとにより遮断される。即ち、浴室床３とスロープ２５との間に流入する湯水の圧力により、止水片２３は弾性変形と共に傾斜して当接突片２１ａに当接し、スロープ２５の下部空間と下枠２０内の空間とを遮断することとなる。したがって、スロープ２５の下部空間内の水が下枠２０内に流入することが抑制される。
【００１０】
逆に、下枠２０内に入った水は、当接突片２１ａと止水片２３との隙間から排水される。しかし、この隙間は狭いことから、浴室床３に流出するには時間がかかり、その結果、浴室床３上の水の引きは速やかに行われる。下枠２０内の水は、浴室床３上の水がひいた後に、スロープ両端から排水させる。したがって、浴室床３上の水は結果的にスムースに排水されることになる。
【００１１】
下枠載材２２とスロープ２５の側面には、図５に示すようなスロープ支持枠２６が跨って装着してあり、スロープ支持枠２６により下枠載材２２とスロープ２５の長手方向の両端部をそれぞれ繋いである。スロープ支持枠２６の内側面には、下枠載材２２の孔２２ｈ，２２ｈに係合する２本の係合突片２６ａ，２６ａが立設され、且つ、スロープ２５の側面に当接するスロープ当接部２６ｂが形成されている。
【００１２】
下枠載材２２を下枠基材２１に装着するに先立って、まず下枠載材２２にスロープ２５を装着し、さらに下枠載材２２とスロープ２５の両端部に、上記係合突片２６ａ，２６ａ及びスロープ当接部２６ｂを介してスロープ支持枠２６，２６を装着する。その上で、下枠載材２２の更衣室側端部に形成された係合部２２ｇを下枠基材２１の被係合部２１ｃに浴室側から係合した後、浴室側に倒すようにして下枠載材２２の浴室側の係合部２２ｆを下枠基材２１の被係合部２１ｂに上方から載置・係合する。反対にこれらを取外すときは、スロープ２５側を若干持ち上げると下枠載材２２の浴室側の係合部２２ｆが下枠基材２１の被係合部２１ｂから外れるので、後は浴室側に移動させることで下枠載材２２の更衣室側の係合部２２ｇが下枠基材２１の被係合部２１ｃから外れ、スロープ２５と下枠載材２２を一体で下枠基材２１から簡単に取外すことができる。
【００１３】
このように、スロープ２５と下枠載材２２とを一体で下枠基材２１から取り外すことで、水が通る下枠２０内とスロープ２５内、及びスロープ２５下の浴室床面３の清掃が極めて容易に行え、浴室の衛生管理が容易となる。スロープ２５と下枠載材２２の一体での取外しは、引き戸３０が取り付けられたままの状態でも行うことができる。
【００１４】
本浴室引き戸の下枠２０は、浴室床面３と引き戸の下枠２０間にスロープ２５を配置することで、入浴時の障壁となる段差を解消できる。また、従来品のように、引き戸前に溝がないため溝カバーが不要となる。また、フロアーカットがないため、製品上極めてリスクの少ないものとなる。更に、スロープ２５内側を下枠２０からの排水スペースとして利用できる。また、スロープ２５の下部位置に配置した止水片２３により、下枠２０下部への水の浸入を阻止できるとともに、浴室側の水が下枠２０の上面高さ以上に溢水したときには、下枠２０内の水のみを一旦下枠２０内部およびスロープ２５内側で保持させ、浴室床面３の水が引けてから下枠２０内の水を浴室床面３へ排出させることができ、浴室床３からの平均的で円滑な排水が可能となる。
【００１５】
本発明は以上に述べた実施例に限定されない。戸は、三枚引戸に限らず、単一の引き戸であってもよい。
【図面の簡単な説明】
【００１６】
【図１】本発明に係る実施例の主要部縦断面図である。
【図２】本発明を適用した実施例の全体正面図である。
【図３】同実施例の平面図である。
【図４】同実施例の縦断面図である。
【図５】（Ａ）はスロープ支持枠の側面図であり、（Ｂ）はスロープ支持枠の平面図である。
【符号の説明】
【００１７】
１  上枠
１ａ  レール
２  縦枠
３  浴室床（面）
２０  下枠
２１  下枠基材
２１ａ  当接突片
２１ｂ，２１ｃ  被係合部
２２  下枠載材
２２ａ  シール材保持部
２２ｂ  シール材
２２ｃ  止水片保持部
２２ｄ  シール材
２２ｅ  引き戸案内溝
２２ｆ，２２ｇ  係合部
２２ｈ  孔
２３  止水片
２５  スロープ
２５ａ  床当接部材
２５ｂ  シール材保持部
２５ｃ  シール材
２５ｄ  傾斜面
２６  スロープ支持枠
２６ａ  係合突片
２６ｂ  スロープ当接部
３０  引き戸
３１  第１引き戸
３１ａ  シール材
３１ｂ  走行ローラ
３１ｈ  把手
３２  第２引き戸
３２ａ  シール材
３２ｂ  走行ローラ
３３  第３引き戸
３３ａ  シール材
３３ｂ  走行ローラ
【図１】
0004674598.tif 000002
【図２】
0004674598.tif 000003
【図３】
0004674598.tif 000004
【図４】
0004674598.tif 000005
【図５】
0004674598.tif 000006